(57)【特許請求の範囲】
【請求項１】
浴槽内の湯を熱交換器を介して循環加熱する浴槽循環系と、該浴槽循環系から分岐して設けられ、放熱器内の湯を前記熱交換器を介して循環加熱する放熱器循環系と、前記浴槽循環系と前記放熱器循環系との分岐部及び合流部に設けられた第１切替弁及び第２切替弁とを備えた給湯器において、
前記第１切替弁と前記第２切替弁とが、切替時に、いずれの循環系とも連通していない閉状態となるような起動タイミング時間を算出する起動タイミング算出手段と、
前記第１切替弁と前記第２切替弁とを、前記起動タイミング算出手段により求められた前記起動タイミング時間を置いて、順次起動させる切替制御手段とを備えていることを特徴とする給湯器。
【請求項２】
前記起動タイミング算出手段により算出された起動タイミング時間の符号を判断する符号判断手段をさらに備え、
前記切替制御手段は、前記符号判断手段により判断された前記起動タイミング時間の符号に応じて、異なる循環系が連通しないように、前記第１切替弁又は前記第２切替弁のいずれか一方を先に起動させるものであることを特徴とする請求項１に記載される給湯器。
【請求項３】
前記起動タイミング算出手段は、前記第１切替弁を浴槽循環側から放熱器循環側へ切り替える際に要する動作時間 ＴWV1BKと、前記第２切替弁を浴槽循環側から放熱器循環側へ切り替える際に要する動作時間 ＴWV2BKと、前記浴槽から前記膨張タンクへの湯の流れ込みを防止する流入防止余裕時間 Ｔ1とを用いて、循環系を浴槽循環側から放熱器循環側へ切り替える際の起動タイミング時間ｔBKを、次の演算式
【数１】
0003801339.tif 000002
により求めるものであり、
前記切替制御手段は、前記符号判断手段により前記起動タイミング時間ｔBKが正又は０であると判断された場合には、前記第２切替弁を先に起動させるものであることを特徴とする請求項２に記載される給湯器。
【請求項４】
前記起動タイミング算出手段は、前記第１切替弁を放熱器循環側から浴槽循環側へ切り替える際に要する動作時間 ＴWV1KBと、前記第２切替弁を放熱器循環側から浴槽循環側へ切り替える際に要する動作時間 ＴWV2KBと、前記流入防止余裕時間 Ｔ1とを用いて、循環系を放熱器循環側から浴槽循環側へ切り替える際の起動タイミング時間ｔKBを、次の演算式
【数２】
0003801339.tif 000003
により求めるものであり、
前記切替制御手段は、前記符号判断手段により前記起動タイミング時間ｔKBが正又は０であると判断された場合には、前記第１切替弁を先に起動させるものであることを特徴とする請求項２又は３に記載される給湯器。
【請求項５】
前記起動タイミング算出手段により求められた前記起動タイミング時間の絶対値が、突入電流の増加を回避するための突入電流低減余裕時間以上であるか否かを判断する絶対値判断手段をさらに備え、
前記切替制御手段は、前記絶対値判断手段により前記起動タイミング時間の絶対値が前記突入電流低減余裕時間未満であると判断された場合には、前記起動タイミング時間として、前記突入電流低減余裕時間を用いるものであることを特徴とする請求項１、２、３又は４に記載される給湯器。
【請求項６】
前記第１切替弁及び前記第２切替弁の切替動作に要する動作時間を計測する計測手段をさらに備え、
前記起動タイミング算出手段は、前記計測手段により計測された前回の切替動作に要した動作時間を用いて前記起動タイミング時間を求めるものであることを特徴とする請求項１、２、３、４又は５に記載される給湯器。
【請求項７】
前記第１切替弁及び前記第２切替弁が、３方向ボールバルブであることを特徴とする請求項１、２、３、４、５又は６に記載される給湯器。
【発明の詳細な説明】
【０００１】
【発明の属する技術分野】
本発明は、給湯器に関し、さらに詳しくは、浴槽内の湯水を熱交換器及びバーナを介して循環加熱させる浴槽循環系と、この浴槽循環系とは分岐して設けられ、放熱器内の水を浴槽循環系の熱交換器及びバーナにより加熱して、放熱器より放熱させる放熱器循環系とを備えた給湯器に関する。
【０００２】
【従来の技術】
従来、この種の給湯器としては、キッチンや洗面所、あるいは浴室の蛇口を開くことにより水道水を熱交換器内に導き、ガスバーナにより加熱して出湯させる一般給湯系の他に、浴槽内の湯水を別の熱交換器に導き、ガスバーナにより加熱して浴槽に戻す浴槽循環系を備えたガス給湯器（いわゆる、給湯器付き風呂釜）が知られている。さらに、前記熱交換器で加熱された湯を放熱器に導き、放熱器から放出される熱を用いて浴室を乾燥室として利用したり、室内の暖房に利用したりする放熱器循環系を備えた給湯器も知られている。
【０００３】
このような浴槽循環系と放熱器循環系とを備えた給湯器においては、熱交換器を双方の循環系で共有し、各循環路の分岐部及び合流部に切替弁を設けるのが一般的である。図５（ａ）は、このような給湯器に備えられている浴槽循環系と放熱器循環系の概略構成図を示したものである。図５（ａ）において、浴槽循環系３は、浴槽４６が、往き管４０と戻り管４２とを介して第２熱交換器４４に連結されたものである。
【０００４】
また、放熱器循環系５は、放熱器９６が、放熱器入水管８２及び放熱器出水管８４ａ、８４ｂを介して、それぞれ、戻り管４２及び往き管４０に連結されたものであり、放熱器入水管８２と戻り管４２の分岐部、及び放熱器出水管８４と往き管４０の合流部には、それぞれ、第１切替弁８６及び第２切替弁８８が設けられている。
【０００５】
また、放熱器出水管８４ａ、８４ｂ間には、容量０．５リットル程度の膨張タンク８０が設けられ、放熱器９６及び配管内を循環する湯の膨張収縮を吸収できるようになっている。さらに、放熱器出水管８４ｂには、逆止弁９８が設けられ、往き管４０から膨張タンク８０への湯の逆流を防止できるようになっている。
【０００６】
そして、この種の給湯器においては、図５（ａ）に示すように、第１切替弁８６及び第２切替弁８８は、平常時には浴槽循環側で待機させ、放熱器循環系内に湯を循環させる時には、第１切替弁８６及び第２切替弁８８を放熱器循環側に切り替えて使用されるものである。そのような切替弁の制御方法としては、各切替弁を別個に駆動する方法と、同時に駆動する方法とがある。
【０００７】
各切替弁を別個に駆動する方法においては、図５（ａ）に示す待機状態（浴槽循環側）から放熱器循環側に切り替える場合には、図５（ｂ）に示すように、先に第２切替弁８８を放熱器循環側に切り替え、次いで、図５（ｃ）に示すように、第１切替弁８６を放熱器循環側に切り替えることにより行われる。
【０００８】
逆に、放熱器循環側から浴槽循環側に切り替える場合には、図５（ｃ）の状態から、図５（ｂ）に示すように、先に第１切替弁８６を浴槽循環側に切り替え、次いで、図５（ａ）に示すように、第２切替弁８８を浴槽循環側に切り替えることにより行われる。
【０００９】
いずれの場合も、切替動作の途中において、図５（ｂ）に示す状態を必ず経由するような切替動作を行うのは、異なる循環系が連通することに起因する浴槽４６から膨張タンク８０への湯の流入を防止するためである。
【００１０】
すなわち、図５（ｂ）とは逆に、第１切替弁８６が放熱器循環側にあり、第２切替弁が８８浴槽循環側にある状態になると、図示はしないが、往き管４０、第２熱交換器４４、戻り管４２及び放熱器入水管８２が一時的に連通するため、浴槽４６を２階に設置した場合等、浴槽４６の水位が膨張タンク８０の水位より高い場合には、水頭差により浴槽４６内の湯が膨張タンク８０に流れ込み、膨張タンクから湯が溢れるおそれがあるからである。
【００１１】
これに対し、各切替弁を同時に駆動する方法は、図５（ｂ）に示すような異なる循環系が連通した状態を経ることなく、直ちに浴槽循環側から放熱器循環側へ、又は、放熱器循環側から浴槽循環側へ切り替わるように、第１切替弁８６及び第２切替弁８８を同時に駆動するものである。
【００１２】
【発明が解決しようとする課題】
しかしながら、各切替弁８６、８８を別個に駆動する方法では、図５（ｂ）に示すように、第１切替弁８６が浴槽循環系と連通し、第２切替弁８８が放熱器循環系と連通する状態を経由するため、膨張タンク８０の水位が浴槽４６の水位より高い場合には、切替動作の途中において、膨張タンク８０内の水が、放熱器出水管８４、往き管４０、第２熱交換器４４及び戻り管４２を経由して、浴槽内４６に流れ込み、膨張タンク８０内から水が抜けるという問題があった。また、切替弁を一つずつ切り替えるため、切替弁を同時に駆動する方法と比べて、切替時間が２倍となり、切替が完了するまでに時間がかかるという問題があった。
【００１３】
これに対し、各切替弁を同時に駆動する方法では、切替時間が短いという利点がある。しかしながら、切替弁を同時に起動する際に発生する突入電流は、切替弁を別個に駆動する場合の２倍となるため、余裕を見込んで容量の大きなトランスを給湯器に組み込む必要があり、給湯器のコストアップにつながるという問題があった。
【００１４】
また、両切替弁８６、８８の動作時間にバラツキがあり、第２切替弁８８の動作時間が第１切替弁８６の動作時間より短い場合には、図６（ａ）に示す待機状態から放熱器循環側に切り替える時に、図６（ｂ）に示すように、第２切替弁８８が放熱器循環側と既に連通したにもかかわらず、第１切替弁８６は未だ浴槽循環側と連通しているため、浴槽循環系と放熱器循環系が連通し、膨張タンク８０から水が抜けるおそれがあるという問題があった。
【００１５】
逆に、第１切替弁８６の動作時間が第２切替弁８８の動作時間より短い場合には、図７（ａ）に示す待機状態から放熱器循環側に切り替える時に、図７（ｂ）に示すように、第１切替弁８６が放熱器循環側と既に連通したにもかかわらず、第２切替弁８８は未だ浴槽循環側と連通しているため、浴槽循環系と放熱器循環系が連通し、浴槽４６内の湯が膨張タンク８０内に流れ込み、膨張タンク８０から湯が溢れ出すおそれがあるという問題があった。
【００１６】
一方、このような問題を解決するために、切替弁を中心位置で一旦止め、双方の切替弁が互いに閉となる時間を作って切り替える方式もあるが、この方式では、切替弁の起動回数が２倍となるため、耐久的に問題が生じる。また、動作時間のバラツキの少ない切替弁を用いて上述の問題を回避することも当然に考えられるが、この場合は、、給湯器のコストアップを招くという問題がある。
【００１７】
本発明が解決しようとする課題は、熱交換器を浴槽循環系及び放熱器循環系で共有する給湯器において、その循環経路を切替える際に、膨張タンクから水が抜けたり、浴槽内の湯水が膨張タンクに流れ込まないようにすることはもとより、切替時の動作時間を短縮し、切替弁の起動頻度も少なく、かつ経済的にも利益の大きい給湯器を提供することにある。
【００１８】
【課題を解決するための手段】
上記課題を解決するために、本発明に係る給湯器は、浴槽内の湯を熱交換器を介して循環加熱する浴槽循環系と、該浴槽循環系から分岐して設けられ、放熱器内の湯を前記熱交換器を介して循環加熱する放熱器循環系と、前記浴槽循環系と前記放熱器循環系との分岐部及び合流部に設けられた第１切替弁及び第２切替弁とを備えた給湯器において、前記第１切替弁と前記第２切替弁とが、切替時に、いずれの循環系とも連通していない閉状態となるような起動タイミング時間を算出する起動タイミング算出手段と、前記第１切替弁と前記第２切替弁とを、前記起動タイミング算出手段により求められた前記起動タイミング時間を置いて、順次起動させる切替制御手段とを備えていることを要旨とするものである。
【００１９】
上記構成を有する本発明に係る給湯器によれば、循環経路を切り替える際には、第１切替弁と第２切替弁のいずれもが、浴槽循環系及び放熱器循環系のいずれとも連通していない閉状態となるような起動タイミング時間が初めに算出され、次いで、異なる循環系が連通しないような順序で、いずれか一方の切替弁が先に起動され、前記起動タイミング時間が経過した時に他方の切替弁が起動される。
【００２０】
これにより、第１切替弁と第２切替弁の切替動作に要する動作時間が異なる場合であっても、各切替弁の起動タイミングが調整され、第１切替弁及び第２切替弁の双方が、いずれの循環系とも連通していない「閉状態」を必ず経由することが保証されるので、異なる循環系が連通することに起因する膨張タンクからの水抜けや、浴槽から膨張タンクへの水の流入を回避することが可能となる。
【００２１】
この場合、前記起動タイミング算出手段により算出された起動タイミング時間の符号を判断する符号判断手段をさらに備え、前記切替制御手段は、前記符号判断手段により判断された前記起動タイミング時間の符号に応じて、異なる循環系が連通しないように、前記第１切替弁又は前記第２切替弁のいずれか一方を先に起動させるようにするとよい。
【００２２】
いずれか一方の切替弁を先に起動するものと仮定して起動タイミング時間を求め、該起動タイミング時間の符号を判断すれば、いずれの切替弁を先に起動すべきか容易に判断することができるので、これにより、各切替弁の動作時間が異なる場合であっても、異なる循環系の連通を確実に回避することが可能となる。
【００２３】
具体的には、前記起動タイミング算出手段は、前記第１切替弁を浴槽循環側から放熱器循環側へ切り替える際に要する動作時間 ＴWV1BKと、前記第２切替弁を浴槽循環側から放熱器循環側へ切り替える際に要する動作時間 ＴWV2BKと、前記浴槽から前記膨張タンクへの湯の流れ込みを防止する流入防止余裕時間 Ｔ1とを用いて、循環系を浴槽循環側から放熱器循環側へ切り替える際の起動タイミング時間ｔBKを、次の演算式
【００２４】
【数１】
【００２５】
により求めるものであり、前記切替制御手段は、前記符号判断手段により前記起動タイミング時間ｔBKが正又は０であると判断された場合には、前記第２切替弁を先に起動させるようにすると良い。
【００２６】
同様に、前記起動タイミング算出手段は、前記第１切替弁を放熱器循環側から浴槽循環側へ切り替える際に要する動作時間 ＴWV1KBと、前記第２切替弁を放熱器循環側から浴槽循環側へ切り替える際に要する動作時間 ＴWV2KBと、前記流入防止余裕時間 Ｔ1とを用いて、循環系を放熱器循環側から浴槽循環側へ切り替える際の起動タイミング時間ｔKBを、次の演算式
【００２７】
【数２】
【００２８】
により求めるものであり、前記切替制御手段は、前記符号判断手段により前記起動タイミング時間ｔKBが正又は０以上であると判断された場合には、前記第１切替弁を先に起動させるようにすると良い。
【００２９】
起動タイミング時間として、数１の式及び／又は数２の式を用いることにより、双方の切替弁が「閉状態」となる切替状態を必ず経由することが保証されると共に、流入防止余裕時間を加算することにより、浴槽循環系に切り替える場合には第１切替弁の起動を若干遅らせ、放熱器循環系に切り替える場合には第２切替弁の起動時刻を若干遅らせるようにしているので、突発的にいずれか一方の切替弁の動作時間が変動しても、浴槽から膨張タンクへ水が流入するという最悪の事態を回避することが可能となる。
【００３０】
なお、前記流入防止余裕時間 Ｔ1は、給湯器に使用する切替弁の動作特性を考慮し、異なる循環系が連通しない範囲内で、任意に設定すればよい。例えば、動作時間のバラツキが大きい安価な切替弁を用いる場合には、前記流入防止余裕時間 Ｔ1は、少なくとも正の値であることを要するが、動作時間の変動が少ない精度の高い切替弁を用いる場合には、突発的な動作時間の変動を考慮する必要がないので、異なる循環系が連通しない範囲内で、前記流入防止余裕時間 Ｔ1として０又は負の値を用いても良い。
【００３１】
さらに、数１の式及び数２の式において、前記流入防止余裕時間として、同一符号 「Ｔ1」を用いているが、これは、浴槽循環側から放熱器循環側へ切り替える際と、放熱器循環側から浴槽循環側へ切り替える際とで、同一の余裕時間を用いる必要があることを意味するものではなく、切替方向に応じて異なる値を採用しても良い趣旨である。
【００３２】
また、本発明に係る給湯器は、前記起動タイミング算出手段により求められた前記起動タイミング時間の絶対値が、突入電流の増加を回避するための突入電流低減余裕時間以上であるか否かを判断する絶対値判断手段をさらに備え、前記切替制御手段は、前記絶対値判断手段により前記起動タイミング時間の絶対値が前記突入電流低減余裕時間未満であると判断された場合には、前記起動タイミング時間として、前記突入電流低減余裕時間を用いるようにしても良い。
【００３３】
数１の式及び数２の式のみを用いて切替弁の起動タイミングを計算すると、計算に使用する動作時間及び流入防止余裕時間によっては、前記起動タイミング時間が０秒となり、第１切替弁及び第２切替弁が同時刻に起動される場合がある。しかしながら、起動タイミング時間が突入電流低減余裕時間未満となった場合には、起動タイミング時間として突入電流余裕時間を用いるようにすれば、常に一定時間以上の起動時差が確保され、突入電流の増大を防止できることになる。
【００３４】
なお、突入電流低減余裕時間は、異なる循環系が連通しない範囲内で、任意の値を用いることができる。また、前記突入電流低減余裕時間は、浴槽循環側から放熱器循環側へ切り替える際と、放熱器循環側から浴槽循環側へ切り替える際とで、必ずしも同一の余裕時間を用いる必要はなく、切替方向に応じて異なる値を採用しても良い趣旨である。
【００３５】
また、本発明に係る給湯器は、前記第１切替弁及び前記第２切替弁の切替動作に要する動作時間を計測する計測手段をさらに備え、前記起動タイミング算出手段は、前記計測手段により計測された前回の切替動作に要した動作時間を用いて前記起動タイミング時間を求めるようにしても良い。
【００３６】
切替弁を起動させる毎に各切替弁の動作時間を計測手段により計測し、測定された動作時間を用いて前記起動タイミング時間を計算し、計算された前記起動タイミング時間を用いて次回の切替弁の起動時刻を制御するようにすれば、切替弁の経時変化等に起因する切替弁の動作時間の変動を補正でき、切替弁に経時変化が生じても、異なる循環系が連通する事態を確実に回避することが可能となる。
【００３７】
また、前記第１切替弁及び前記第２切替弁としては、３方向ボールバルブを用いるのが良い。３方向ボールバルブは、安価であることに加え、切替位置における位置検出が容易であり、循環系が切り替わったか否かの確認が容易であると共に、いずれの循環系とも連通していない閉状態を容易に作ることができるため、これを切替弁として用いれば、給湯器のコストアップを招くことなく、異なる循環系の連通を容易に回避することが可能となる。
【００３８】
【発明の実施の形態】
以下、本発明の好適な一実施の形態を図面を参照して詳細に説明する。図１は、本発明が適用されるガス給湯器の概略構成を示したものである。この図示されるガス給湯器１は、台所、洗面所、浴室の蛇口、シャワー等より出湯させる一般給湯系２と、浴槽の湯水を循環加熱（追焚）する浴槽循環系３と、一般給湯系の湯を浴槽へ供給する浴槽給湯系４と、浴室を乾燥室として用いるための放熱器循環系５とを備えている。
【００３９】
一般給湯系２は、給水管１０と出湯管１２とが第１熱交換器１４に接続され、給水管１０には、給水管１０を流れる水の総量を規制する水絞り弁１６と、水温を計測する入水温度サーミスタ１８と、水の流量を計測する入水流量センサ２０とが設けられている。また、出湯管１２には、前記第１熱交換器１４から出湯される湯の温度を計測する出湯温度サーミスタ２２が設けられ、出湯管１２の先端には、水栓２４が設けられている。
【００４０】
さらに、前記第１熱交換器１４の下方部位には、該第１熱交換器１４を加熱するガスバーナ２６が設けられ、前記ガスバーナ２６のガス管２８には、元電磁弁３０、メイン電磁弁３２及びガス比例弁３４が設けられている。また、前記ガスバーナ２６に近接して、燃焼用空気を供給する送風ファン３６が設けられている。
【００４１】
浴槽循環系３は、浴槽４６が、往き管４０と戻り管４２とを介して第２熱交換器４４に連結されたものである。往き管４０には、浴槽４６から第２熱交換器に送られる湯水の温度を計測する風呂出口温度サーミスタ４８と、循環用ポンプ５０と、往き管４０の水流を検知する水流スイッチ５２が設けられている。また、戻り管４２には、第２熱交換器４４内で加熱された湯の温度を計測する循環出湯温度サーミスタ５４が設けられている。
【００４２】
さらに、前記第２熱交換器４４の下方部位には、該第２熱交換器４４を加熱するガスバーナ５６が設けられ、前記ガスバーナ５６のガス管５８には、メイン電磁弁６２及びガス比例弁６４が設けられている。また、前記ガスバーナ５６に近接して、燃焼用空気を供給する送風ファン６６が設けられている。なお、ガス管５８は、ガス管２８と連結され、元電磁弁３０を共有する形になっている。
【００４３】
浴槽給湯系４は、一般給湯系２の出湯管１２と、浴槽循環系３の往き管４０とが、接続管７０を介して連結されたものであり、接続管７０には、該接続管７０内を流れる湯の流量を計測する給湯流量センサ７２と、該接続管７０を開閉するための給湯弁７４とが設けられている。
【００４４】
放熱器循環系５は、放熱器９６の一端が放熱器入水管８２を介して戻り管４２に接続され、放熱器９６の他端が、放熱器出水管８４ａ、８４ｂを介して往き管４０に接続されたものである。また、放熱器入水管８２と戻り管４２の接続部には第１切替弁８６が、放熱器出水管８４ｂと往き管４０の接続部には第２切替弁８８が、それぞれ設けられている。そのため、放熱器循環系３と浴槽循環系３とは、第２熱交換器４４を含む循環経路の一部を共有する形になっている。
【００４５】
また、放熱器出水管８４ａ、８４ｂには、放熱器循環系５内を循環する湯の膨張収縮を吸収するための膨張タンク８０が設けられ、膨張タンク８０内には、該膨張タンク８０内の水位を検知する水位低側フロートスイッチ９０及び水位高側フロートスイッチが設けられている。さらに、放熱器出水管８４ｂには、逆止弁９８が設けられ、第１切替弁８６及び／又は第２切替弁８８が故障した時等、不可抗力により異なる循環系が連通した場合であっても、浴槽４６内の湯水が膨張タンク８０へ逆流しないようになっている。
【００４６】
さらに、図１に示すガス給湯器１は、給湯入水温度サーミスタ１８、入水流量センサ２０、給湯出湯温度サーミスタ２２、風呂出口温度サーミスタ４８、水流スイッチ５２、循環出湯温度サーミスタ５４、及び給湯流量センサ７２から信号を受け、元電磁弁３０、メイン電磁弁３２、６２、ガス比例弁３４、６４及び送風ファン３６、６６を制御するバーナコントローラ（図示せず）を有している。
【００４７】
バーナコントローラは、公知のＣＰＵ、ＲＯＭ、ＲＡＭ等により構成され、そのＲＯＭには、出湯温度制御等を行うための種々のプログラム類が格納されているものである。また、この給湯器１は、リモコン操作ができるよう、台所等には給湯リモコンが、浴室には、風呂リモコン及び乾燥器リモコン（いずれも図示せず）が設けられ、それぞれのリモコンには、電源スイッチ、自動給湯スイッチ、追焚スイッチ、設定温度入力装置等が設けられているものである。
【００４８】
次に、このように構成されたガス給湯器１において、一般給湯系２による一般給湯を行う場合について説明する。給湯リモコンの操作により設定温度を入力して水栓２４を開くと、給水管１０内に流れ込んだ水は、第１熱交換器１４に送られ、出湯管１２を通って水栓２４から排出される。
【００４９】
この時、入水流量センサ２０が給水管１０内の水流を感知すると、バーナーコントローラ（図示せず）からの指令により、送風ファン３６が駆動されると共に、元電磁弁３０、メイン電磁弁３２及びガス比例弁３４が順次開かれて、イグナイタ（図示せず）によりガスバーナ２６が点火される。そして、給湯出湯温度サーミスタ２２で検知される出湯温度が設定温度に維持されるよう、ガス比例弁３４の開度と送風ファン３６のファン回転数の比例制御が行われる。また、水栓２４を閉じると、元電磁弁３０及びメイン電磁弁３２が閉じられ、ガスの燃焼が停止する。
【００５０】
次に、浴槽給湯系４による浴槽給湯を行う場合について説明する。浴室に取り付けられた風呂リモコン（図示せず）の自動給湯スイッチを押すと、接続管７０に設けられた給湯弁７４が開かれる。給湯弁７４が開かれると、一般給湯系２内に水が流れ、第１熱交換器１４を通って出湯管１２に排出された水が、接続管７０を介して往き管４０内に流れ込む。第２切替弁８８は、通常、浴槽循環側となっているので、往き管４０に流入した水は、そのまま浴槽４６内に供給される。
【００５１】
この時、一般給湯の場合と同様、入水流量センサ２０が給水管１０内の水の流れを検知すると、給湯出湯温度サーミスタ２２で検知される出湯温度が設定温度となるように、一般給湯系２に設けられたガスバーナ２６の点火及び燃焼制御が行われる。そして、浴槽４６内に供給された湯の総量は、接続管７０に設けた給湯流量センサ７２により計測され、流量の積算値が設定量に達したところで、給湯弁７４が閉じられ、浴槽への給湯が終了する。
【００５２】
次に、浴槽循環系３による追焚を行う場合について説明する。浴室に取り付けられた風呂リモコン（図示せず）の追焚スイッチを押すと、循環用ポンプ５０が作動する。第１切替弁８６及び第２切替弁８８は、通常、浴槽循環側となっているので、循環用ポンプ５０が作動すると、浴槽４６内の湯が往き管４０を通って第２熱交換器４４内へ送られ、第２熱交換器４４から排出された湯が、戻り管４２を通って浴槽４６内に戻される。
【００５３】
この時、水流スイッチ５２が往き管４０内の水流を感知すると、バーナーコントローラ（図示せず）からの指令により、送風ファン６６が駆動されると共に、元電磁弁３０、メイン電磁弁６２及びガス比例弁６４が順次開かれて、イグナイタ（図示せず）によりガスバーナ５６が点火される。
【００５４】
そして、ガス比例弁６４の開度と送風ファン６６の回転数とが最大能力となるように固定された状態で、循環出湯温度サーミスタ５４で検出される出湯温度が所定の温度範囲に維持されるように循環用ポンプ５０の能力が可変制御され、風呂出口温度サーミスタ４８で検出される浴槽温度が設定温度に達したところで、元電磁弁３０及びメイン電磁弁６２が閉じられる。
【００５５】
次に、放熱器循環系５による浴室乾燥運転を行う場合について説明する。まず、浴室に設けられた乾燥器リモコン（図示せず）の乾燥運転スイッチを押すと、第１切替弁８６及び第２切替弁８８が放熱器循環側に切り替わる。次いで、循環用ポンプ５０が作動し、放熱器９６内の湯が、放熱器出水管８４ａ、８４ｂ、膨張タンク８０及び往き管４０を通って第２熱交換器４４へ送られ、そこで加熱された湯が、戻り管４２、放熱器入水管８２を順次通って、放熱器９６に戻される。
【００５６】
この時、追焚加熱の場合と同様、水流スイッチ５２が往き管４０内の水の流れを検知すると、浴槽循環系３に設けられたガスバーナ５６の点火が行われる。ガスバーナ５６が点火された後は、循環出湯温度サーミスタ５４で検知される温度が所定の温度となるように、ガスバーナ５６のガス比例弁６４の開度をフィードバック制御して、ガスバーナ５６の燃焼制御が行われる。乾燥運転中は、膨張タンク８０内の水位が水位低側フロートスイッチ９０及び水位高側フロートスイッチ９２により監視され、水位が低下した場合には、給湯弁７４を開くことにより、一般給湯系２から水が補給される。
【００５７】
そして、乾燥運転を終了させる時には、浴室に設けられた乾燥器リモコン（図示せず）の乾燥運転スイッチを再度押せばよく、これにより、元電磁弁３０及びメイン電磁弁６２が閉じられ、ガスバーナ５６の燃焼を停止させると共に、第１切替弁８６及び第２切替弁８８が浴槽循環側に切り替えられ、その状態で待機するものである。
【００５８】
次に、本発明に係る給湯器の切替弁として用いられる３方向ボールバルブの動作を図２に基づいて説明する。３方向ボールバルブは、安価であること、循環経路が切り替わったか否かの位置検出が容易であること、いずれの循環経路にも接続されない閉状態を容易に作ることができること等の理由から、このような給湯器の切替弁としてしばし用いられるものである。
【００５９】
図２に示す３方向ボールバルブは、０゜〜１８０゜の切替動作を行うものであり、ボールが０゜の位置にある場合には、循環経路は浴槽循環側に切り替えられた状態にあり、１８０゜の位置にある場合には、放熱器循環側に切り替えられた状態にある。また、バルブの切替は、ボールが０゜の位置から１８０゜の位置へ、あるいはその逆方向に回転することにより行われるものである。
【００６０】
さらに、この３方向ボールバルブは、切替動作中、ボールが０゜〜６０゜間にある場合は、循環経路は浴槽循環側と連通し、６０゜〜１２０゜間にある場合は、いずれの循環経路とも連通していない閉状態にあり、１２０゜〜１８０゜間にある場合は、循環経路は放熱器循環側と連通している状態にある。すなわち、切替弁の切替動作が行われている動作時間の約２／３は、浴槽循環側又は放熱器循環側のいずれかに連通している状態にある。
【００６１】
また、３方向ボールバルブの位置検出は、０゜と１８０゜の２カ所に配置されているリミットスイッチにより読み取られる。すなわち、０゜及び１８０゜の位置には、それぞれ、浴槽側リミットスイッチＢ及び放熱器循環側リミットスイッチＫが配置され、ボールが０゜又は１８０゜の位置にきた時点でリミットスイッチＢ又はＫがＯＮするようになっている。
【００６２】
なお、ボールが０゜の位置から１８０゜の位置へ、あるいはその逆方向に動くために要する動作時間は、３方向ボールバルブの性能により異なるものであり、給湯器の仕様に応じて、適宜最適な動作時間を有するバルブを用いれば良い。この実施例では、動作時間が４．６±２秒である３方向ボールバルブを用いている。
【００６３】
次に、第１切替弁８６及び第２切替弁８８の起動タイミングを決定する方法について説明する。次の数１の式及び数２の式は、浴槽循環側から放熱器循環側に切り替える際の起動タイミング時間ｔBK及び放熱器循環側から浴槽循環側に切り替える際の起動タイミング時間ｔKBを計算するための典型的な式である。
【００６４】
【数１】
【００６５】
【数２】
【００６６】
数１の式において、第１項は、浴槽循環側から放熱器循環側に切り替える場合における、第２切替弁８８の作動時間ＴWV2BKと、第１切替弁８６の動作時間ＴWV1BKの差を２で除した値であり、双方の切替弁が中央位置に来るまでの時間差を意味する。第２項は、浴槽４６から膨張タンク８０への湯の流れ込みを防止するための流入防止余裕時間 Ｔ1である。
【００６７】
数１の式の第１項は、第２切替弁８８の動作時間 ＴWV2BKが第１切替弁８６の動作時間 ＴWV1Bkより長い場合には、正となる。そのため、第２切替弁８８を起動してから数１の式第１項の時間が経過した後に第１切替弁８６を起動すれば、双方の切替弁は、同時刻に中央位置に来ることになる。
【００６８】
一方、第２切替弁８８の動作時間ＴWV2BKが第１切替弁８６の動作時間ＴWV1Bkより短い場合には、数１の式の第１項は負となる。そのため、前述の手順とは逆に、第１切替弁８６を起動してから数１の式第１項の絶対値に相当する時間が経過した後に第２切替弁８８を起動すれば、双方の切替弁は、同時刻に中央位置に来ることになる。
【００６９】
ここで、前述したように、図２に示す３方向ボールバルブを切替弁として用いた場合、動作時間の内、中央約１／３が閉状態となる期間（以下、「閉期間」という）である。そのため、数１の式の第１項のみを用いて、第１切替弁８６及び第２切替弁８８の動作時間の中央位置を重ねるようにすれば、双方の切替弁が同時刻に閉となる状態を確実に作り出すことが可能となる。
【００７０】
従って、動作時間にバラツキのない高精度な切替弁を用いる場合には、数１の式の第１項のみで制御すれば、浴槽循環系３と放熱器循環系５との連通を確実に防止できる。また、一方の切替弁の閉期間と他方の切替弁の閉期間とがいずれかの時点において重りさえすれば２つの循環系の連通を防止できるので、数１の式第１項のように、必ずしも動作時間の中央位置を一致させる必要もない。
【００７１】
しかしながら、錆び付き等の不可抗力により、突発的に切替弁の動作時間が変動した場合には、中央位置を一致させる制御のみでは、２つの循環系が連通する可能性がある。例えば、突発的に第２切替弁８８の起動が遅れ、図７（ｂ）に示すように、第１切替弁８６が放熱器循環側と連通し、第２切替弁８８が浴槽循環側と連通した場合には、浴槽４６から膨張タンク８０への湯の流れ込みを防止できず、膨張タンク８０から湯が溢れ出すという最悪の事態を招くおそれがある。
【００７２】
一方、突発的に第１切替弁８６の起動が遅れ、図６（ｂ）に示すように、第１切替弁８６が浴槽循環側と連通し、第２切替弁８８が放熱器循環側に連通した場合には、膨張タンク８０からの水抜けは防止できないが、放熱器出水管８４に逆止弁９８が設けられている限り、浴槽４６からの湯の逆流は防止できる。膨張タンク８０の容量は０．５リットル程度であり、膨張タンク８０から水が抜けても、浴槽４６から湯が溢れることはないので、膨張タンク８０から水が溢れる場合に比べれば、被害は、少なくて済む。
【００７３】
そこで、数１の式においては、第２項として浴槽４６から膨張タンク８０への湯の流れ込みを防止するための流入防止余裕時間 Ｔ1が加えられ、第２切替弁が不可抗力により予定した時刻から遅れて起動された場合であっても、膨張タンク８０から水が溢れることのないように、第１切替弁の起動タイミング時間を中央位置からＴ1だけ遅らせるようにしている。
【００７４】
上述の趣旨から、流入防止余裕時間 Ｔ1は、２つの循環系が連通しないような値であれば、任意の値を取ることができる。例えば、図２に示す動作時間が４．６±２．０秒である３方向ボールバルブを用いる場合には、一方の切替弁の閉期間が終了する直前に他方の切替弁の閉期間が開始すれば足りるから、流入防止余裕時間Ｔ1は、少なくとも、Ｔ1＜（２．６＋２．６）／６＝０．８７秒であればよい。この例では、流入防止余裕時間Ｔ1として、０．５秒を用いている。
【００７５】
同様に、数２の式の第１項は、放熱器循環側から浴槽循環側に切り替える場合における、第１切替弁８６の動作時間ＴWV1KBと、第２切替弁８８の動作時間ＴWV2KBの差を２で除した値であり、双方の切替弁が中央位置に来るまでの時間差を意味する。従って、数２の式第１項が正である場合には第１切替弁８６を先に起動させ、また、負である場合には第２切替弁８８を先に起動させ、他方を数２の式第１項の絶対値に相当する時間が経過した後に起動すれば、双方の切替弁は、同時刻に中央位置に来ることになる。
【００７６】
また、放熱器循環側から浴槽循環側に切り替える場合において、不可抗力による作動時間の変動により、図７（ｂ）に示すような連通状態となることを回避するためには、２つの循環系が連通しない範囲内で、第２切替弁の起動を遅らせる必要がある。そのため、数２の式の第２項においても、流入防止余裕時間 Ｔ1が加えられている。
【００７７】
なお、図２に示す３方向ボールバルブを使用する場合、流入防止余裕時間 Ｔ1は、Ｔ1＜０．８７ 秒であることを要する点は、数１の式の場合と同様である。また、数２の式に用いられる流入防止余裕時間Ｔ1は、Ｔ1＜０．８７秒の関係を満たす限り任意の値を取ることができるので、数１の式に用いられる流入防止余裕時間 Ｔ1と必ずしも同一の値を用いる必要はないが、この実施例では、放熱器循環側から浴槽循環側に切り替える場合にも、流入防止余裕時間 Ｔ1として、０．５秒を用いている。
【００７８】
また、切替弁として、安価な３方向ボールバルブを用いる場合、個々の切替弁の動作時間にバラツキがあることに加え、経時変化により動作時間が増減する場合がある。その場合には、動作時間を常に一定値と仮定して、数１の式及び数２の式により起動タイミング時間を計算すると、動作時間のバラツキや経時変化により起動時期がずれて、異なる循環系が連通する場合がある。
【００７９】
そこで、これを回避するためには、切替弁を起動する毎に各切替弁の動作時間を計測し、次回の切替動作の際には、測定された動作時間を用いて数１の式及び数２の式により起動タイミング時間を計算すればよい。これにより、切替弁の動作時間にバラツキや経時変化があっても、異なる循環系の連通を防止することが可能となる。
【００８０】
なお、給湯器の電源投入後、初めて切替弁を起動する場合は、「前回の動作時間」は存在しないこととなるが、この場合には、給湯器に用いられている切替弁の平均的な作動時間を用いて起動タイミング時間を算出すればよい。数１の式及び数２の式には、流入防止余裕時間 Ｔ1が加えられているため、最悪でも膨張タンク８０からの水抜けで済むからである。
【００８１】
また、数１の式及び数２の式のみを用いて起動タイミング時間ｔBK、ｔKBを計算する場合、個々の切替弁の動作時間及び Ｔ1によっては、起動タイミング時間ｔBK又はｔKBが０となる場合がある。その場合、２つの切替弁が同時に起動されることになり、その際の突入電流は、別個に起動させた時の２倍となるため、余裕を見込んで容量の大きなトランスを給湯器に組み込む必要が生ずる。
【００８２】
そこで、突入電流の増加を回避するためには、数１の式又は数２の式で求められた起動タイミング時間ｔBK又はｔKBの絶対値の大きさを判断し、その絶対値が、突入電流の増加を回避するために十分な起動時差に相当する突入電流低減余裕時間 Ｔ2未満である場合には、起動タイミング時間として、数１の式又は数２の式で求めたｔBK又はｔKBに代えて、突入電流低減余裕時間 Ｔ2を用い、常に一定時間以上の起動時差を確保するようにすれば良い。
【００８３】
なお、突入電流低減余裕時間 Ｔ2は、２つの循環系が連通しない範囲内で任意の値を用いることができ、また、浴槽循環側から放熱器循環側へ切り替える際と、その逆方向へ切り替える際とでは、必ずしも同じ値を用いる必要はない点は、流入防止余裕時間 Ｔ1と同様である。また、図２の３方向ボールバルブを使用する場合、浴槽循環側から放熱器循環側へ切り替える際及びその逆方向へ切り替える際に２つの循環系を連通させないためには、少なくとも Ｔ2＜２．６／３＝０．８７秒であることを要する。この実施例では、切替方向によらず、突入電流低減余裕時間 Ｔ2として、０．５秒を用いている。
【００８４】
具体的には、浴槽循環系から放熱器循環系に切り替える場合には、図３に示すような手順で起動タイミング時間を決定すればよい。すなわち、まず、数１の式を用いて起動タイミング時間ｔBKを計算し、その符号を判断すると共に、起動タイミング時間ｔBKの絶対値と突入電流低減余裕時間Ｔ2とを比較する。
【００８５】
そして、起動タイミング時間ｔBKが正又は０であり、かつ、その絶対値が突入電流低減余裕時間 Ｔ2以上である場合には、図３（ａ）に示すように、そのまま、第２切替弁（ＷＶ2）８８ を先に起動させ、起動タイミング時間ｔBK経過後に第１切替弁（ＷＶ1）８６ を起動させればよい。これにより、第１切替弁８６の中央位置は、第２切替弁８８の中央位置より、流入防止余裕時間 Ｔ1だけ遅れることとなる。
【００８６】
一方、起動タイミング時間ｔBKが正又は０、かつその絶対値が突入電流低減余裕時間 Ｔ2未満である場合には、図３（ｂ）に示すように、起動タイミング時間として、数１の式で得られたｔBKをそのまま用いると、双方の切替弁の起動時刻が接近し、突入電流が増加するおそれがある。そこで、この場合には、起動タイミング時間として、ｔBKの代わりに突入電流低減余裕時間Ｔ2を用いればよい。
【００８７】
すなわち、第２切替弁８８を先に起動させ、突入電流低減余裕時間 Ｔ2経過後に第１切替弁８６を起動させればよい。これにより、第１切替弁８６が中央位置に来る時刻と第２切替弁８８が中央位置に来る時刻との差は、流入防止余裕時間Ｔ1より大きくなるが、突入電流低減余裕時間Ｔ2が適切である限り、２つの循環系が連通することはない。
【００８８】
同様に、起動タイミング時間ｔBKが負であり、かつ、その絶対値が突入電流低減余裕時間 Ｔ2以上である場合には、図３（ｄ）に示すように、そのまま、第１切替弁８６を先に起動させ、起動タイミング時間ｔBKの絶対値に相当する時間の経過後に第２切替弁８８を起動させればよい。これにより、第１切替弁８６の中央位置は、第２切替弁８８の中央位置より、流入防止余裕時間 Ｔ1だけ遅れることとなる。
【００８９】
一方、起動タイミング時間ｔBKが負であり、かつ、その絶対値が突入電流低減余裕時間 Ｔ2未満である場合には、図３（ｃ）に示すように、第１切替弁８６を先に起動させ、突入電流低減余裕時間 Ｔ2経過後に第２切替弁８８を起動させればよい。これにより、第１切替弁８６が中央位置に来る時刻と第２切替弁８８が中央位置に来る時刻の差は、流入防止余裕時間 Ｔ1より小さくなるが、突入電流低減余裕時間 Ｔ2が適切である限り、２つの循環系が連通することはない。
【００９０】
放熱器循環側から浴槽循環側へ切り替える場合も同様であり、数２の式を用いて起動タイミング時間ｔKBを計算し、その符号に応じていずれか一方の切替弁を先に起動させると共に、起動タイミング時間ｔKBの絶対値と突入電流低減余裕時間Ｔ2とを比較し、ｔKBの絶対値が、突入電流低減余裕時間Ｔ2未満である場合には、起動タイミング時間としてｔKBに代えて、突入電流低減余裕時間 Ｔ2を用い、第２切替弁８８の中央位置が、第１切替弁８６の中央位置より若干遅れるタイミングとなるように、双方の切替弁を順次起動させればよい。
【００９１】
以上のように、本発明に係る切替弁の制御方法によれば、各切替弁の動作時間にバラツキがある場合や経時変化による動作時間の変動がある場合、さらには、不可抗力による動作時間の変動がある場合であっても、異なる循環系が連通することに起因する膨張タンク８０からの水抜けや水の溢れを防止することが可能となる。さらに、切替弁の動作角が異なるような、構造的に明らかに切替時間が異なる切替弁を用いた場合であっても、適切な切替動作が可能となる。
【００９２】
次に、本発明に係る給湯器において、第１切替弁８６及び第２切替弁８８がどのように制御されるかを、図４Ａ、図４Ｂ及び図４Ｃに示すフローチャートに基づいて説明する。まず初めに、第１切替弁８６及び第２切替弁８８が浴槽循環側で待機している場合について説明する。
【００９３】
まず、Ｓ１では、数１の式に基づき、浴槽循環系から放熱器循環系に切り替える際の起動タイミング時間ｔBKが計算される。計算に用いる第１切替弁（ＷＶ1 ）８６の動作時間ＴWV1BK及び第２切替弁（ＷＶ2）８８の動作時間 ＴWV2BKは、通常、前回の切替動作に要した動作時間を用いるが、電源を投入した直後は、初期値として、切替弁として用いる３方向ボールバルブの平均動作時間が用いられる。また、前述のように、流入防止余裕時間 Ｔ1としては、０．５秒が用いられている。
【００９４】
次いで、Ｓ２では、数１の式により求めた起動タイミング時間ｔBKの絶対値が、突入電流低減余裕時間Ｔ2以上であるか否かが判断される。Ｔ2以上である場合（Ｓ２：ＹＥＳ）は、そのままＳ４に進む。一方、Ｔ2 以上でない場合（Ｓ２：ＮＯ）は、Ｓ３に進み、そこで、起動タイミング時間ｔBKの絶対値として、Ｔ2 を記憶させた後、Ｓ４に進む。
【００９５】
Ｓ４では、数２の式に基づき、放熱器循環系から浴槽循環系に切り替える際の起動タイミング時間ｔKBが計算される。計算に用いる第１切替弁８６の動作時間ＴWV1KB及び第２切替弁８８の動作時間ＴWV2KBも同様に、通常は、前回の切替動作に要した動作時間を用いるが、電源を投入した直後は、初期値として、切替弁として用いる３方向ボールバルブの平均動作時間が用いられる。また、前述のように、この場合の流入防止余裕時間Ｔ1にも、０．５秒が用いられている。
【００９６】
次いで、Ｓ５では、数２の式により求めた起動タイミング時間ｔKBの絶対値が、突入電流低減余裕時間Ｔ2以上であるか否かが判断される。Ｔ2以上である場合（Ｓ５：ＹＥＳ）は、そのままＳ７に進む。一方、Ｔ2 以上でない場合（Ｓ５：ＮＯ）は、Ｓ６に進み、そこで、起動タイミング時間ｔKBの絶対値として、Ｔ2 を記憶させた後、Ｓ７に進む。
【００９７】
Ｓ７では、第１切替弁８６が停止中か否かが判断される。ここでは、浴槽循環系で待機している場合を考えているので（Ｓ７：ＹＥＳ）、Ｓ９に進む。Ｓ９では、第１切替弁８６の要求位置が浴槽循環側（Ｂ）か否かが判断されるが、ここでは、浴槽循環側（Ｂ）で待機している場合であるので（Ｓ９：ＹＥＳ）、図４ＢのＳ１８に進む。
【００９８】
Ｓ１８では、第１切替弁８６が浴槽循環側位置（以下、「Ｂ位置」という）にあるか否かが判断される。この場合は、待機中であるので（Ｓ１８：ＹＥＳ）、Ｓ１９に進む。Ｓ１９では、第１切替弁８６の動作時間 ｔWV1がカウント中であるか否かが判断されるが、待機中は、切替弁は停止しており、動作時間はカウントされないので（Ｓ１９：ＮＯ）、図４ＣのＳ３１に進む。
【００９９】
Ｓ３１では、同様に、第２切替弁８８が停止中か否かが判断されるが、待機中では切替弁は停止しているので（Ｓ３１：ＹＥＳ）、Ｓ３３に進む。Ｓ３３では、第２切替弁８８の要求位置が放熱器循環側（Ｋ）か否かが判断されるが、待機状態では、要求位置は浴槽循環側（Ｂ）であるので（Ｓ３３：ＮＯ）、Ｓ３４に進む。
【０１００】
Ｓ３４では、第２切替弁８８がＢ位置にあるか否かが判断される。待機状態では、当然、第２切替弁８８は、Ｂ位置にあるので（Ｓ３４：ＹＥＳ）、Ｓ３５に進む。Ｓ３５では、第２切替弁８８の動作時間 ｔWV2がカウント中であるか否かが判断されるが、待機中は、切替弁は停止しており、動作時間はカウントされないので（Ｓ３５：ＮＯ）、そのまま、Ｓ３８に進む。
【０１０１】
Ｓ３８では、再び、第１切替弁８６がＢ位置にあるか否かが判断されるが、この場合は、待機中であり、第１切替弁８６（ＷＶ1 ）はＢ位置にあるので（Ｓ３８：ＹＥＳ）、図４ＡのＳ１に戻る。そして、第１切替弁８６及び第２切替弁８８に対して切替指示が発生するまで、上述のステップが繰り返される。
【０１０２】
次に、使用者がリモコンに備えられた乾燥スイッチを押す等の操作を行うことにより、待機状態にある切替弁に対し、バーナコントローラから放熱器循環側への循環経路の切替指示が出された場合における切替弁の切替制御について説明する。初めに、起動タイミング時間ｔBKが正又は０である場合について説明すると、前述した手順に従い、Ｓ１からＳ６において、浴槽循環側から放熱器循環側へ切り替える際の起動タイミング時間ｔBKが計算された後、Ｓ７に進む。
【０１０３】
Ｓ７では、第１切替弁８６が停止中か否かが判断されるが、切替指示を出した直後は、当然、停止しているので（Ｓ７：ＹＥＳ）、Ｓ９に進む。Ｓ９では、要求位置が浴槽循環側（Ｂ）か否かが判断されるが、ここでは、放熱器循環側（Ｋ）への切替指示が出された場合を考えているので（Ｓ９：ＮＯ）、Ｓ１０に進む。
【０１０４】
Ｓ１０では、第１切替弁８６が放熱器循環側位置（以下、「Ｋ位置」という）にあるか否かが判断されるが、放熱器循環側への切替指示が出された当初は、当然、第１切替弁８６は、Ｋ位置には至っていないので（Ｓ１０：ＮＯ）、Ｓ１４に進む。
【０１０５】
Ｓ１４では、Ｓ１において計算した起動タイミング時間ｔBKが正又は０であるか否かが判断される。ここでは、起動タイミング時間ｔBKが正又は０である場合を考えているので（Ｓ１４：ＹＥＳ）、次に、Ｓ１５に進む。Ｓ１５では、第２切替弁８８の動作時間ｔWV2がＳ１で求めた起動タイミング時間 ｔBKの絶対値以上か否かが判断される。この段階では、放熱器循環側への切替指示が出されたが、未だ第２切替弁８８（ＷＶ2 ）が起動されていない状態であるので、当然、その動作時間ｔWV2は、起動タイミング時間ｔBKの絶対値未満である（Ｓ１５：ＮＯ）ので、図４ＣのＳ３１に進む。
【０１０６】
Ｓ３１では、第２切替弁８８が停止中か否かが判断されるが、この段階では、未だ第２切替弁８８は、起動されていないので（Ｓ３１：ＹＥＳ）、Ｓ３３に進む。Ｓ３３では、第２切替弁８８の要求位置が放熱器循環側（Ｋ）か否かが判断される。ここでは、放熱器循環側への切替指示が出された場合を考えているので（Ｓ３３：ＹＥＳ）、Ｓ４３に進む。
【０１０７】
Ｓ４３では、第２切替弁８８がＫ位置にあるか否かが判断される。切替指示が出された当初は、当然、未だＫ位置に至っていないので（Ｓ４３：ＮＯ）、Ｓ４８に進む。Ｓ４８では、再度、Ｓ１で求めた起動タイミング時間ｔBKが正又は０か否かが判断される。
【０１０８】
起動タイミング時間ｔBKが正又は０である場合には、図３（ａ）又は（ｂ）に示すように、第２切替弁８８を先に起動させる必要があるので（Ｓ４８：ＹＥＳ）、Ｓ５０に進み、そこで、第２切替弁８８を放熱器循環側方向（以下、「Ｋ方向」という）に駆動させると共に、Ｓ５１において、タイマーをスタートさせ、第２切替弁８８の動作時間 ｔWV2のカウントを開始した後、図４ＡのＳ７に戻る。
【０１０９】
最初にＳ７に戻った時点では、第２切替弁８８のみが起動し、第１切替弁８６は、未だ停止中であるので（Ｓ７：ＹＥＳ）、前述と同様に、Ｓ７からＳ９、Ｓ１０、及びＳ１４を経て、Ｓ１５に進む。そして、Ｓ１５では、Ｓ５１において計測を開始した第２切替弁８８の動作時間ｔWV2が起動タイミング時間 ｔBKの絶対値以上か否かが判断される。
【０１１０】
動作時間ｔWV2が起動タイミング時間 ｔBKの絶対値未満である場合（Ｓ１５：ＮＯ）には、図４ＣのＳ３１に進む。この段階では、第２切替弁８８は、既に起動しているので（Ｓ３１：ＮＯ）、Ｓ３２に進み、そこで、第２切替弁８８の動作時間 ｔWV2のカウントが続行される。そして、図４ＡのＳ７から、Ｓ９、Ｓ１０及びＳ１４を経てＳ１５に戻り、第２切替弁８８が起動してから起動タイミング時間ｔBKが経過するまで、前述のステップが繰り返される。
【０１１１】
なお、Ｓ２において、起動タイミング時間ｔBKの絶対値が突入電流低減余裕時間 Ｔ2未満であると判断された場合（Ｓ２：ＮＯ）には、Ｓ３において、起動タイミング時間ｔBKの絶対値として突入電流低減余裕時間 Ｔ2が記憶されているので、その場合には、第２切替弁８８が起動してから突入電流低減余裕時間 Ｔ2が経過するまで、前述のステップが繰り返されることになる。
【０１１２】
一方、第２切替弁８８が起動してから起動タイミング時間ｔBK又は突入電流低減余裕時間 Ｔ2が経過した時には、Ｓ１５において、第２切替弁８８の動作時間ｔWV2が「起動タイミング時間 ｔBKの絶対値」以上と判断されるので（Ｓ１５：ＹＥＳ）、Ｓ１６に進み、そこで、第１切替弁８６が起動される。さらに、Ｓ１７において第１切替弁８６の動作時間 ｔWV1の計測が開始された後、図４ＣのＳ３１に進む。
【０１１３】
Ｓ３１では、第２切替弁８８が停止中であるか否かが判断されるが、この時点では、双方の切替弁が稼働中であるので（Ｓ３１：ＮＯ）、Ｓ３２に進み、そこで、第２切替弁８８の動作時間 ｔWV2のカウントを続行し、図４ＡのＳ７に戻る。また、Ｓ７においても、第１切替弁８６は停止中ではないと判断されるので（Ｓ７：ＮＯ）、Ｓ８に進み、第１切替弁８６の動作時間 ｔWV1のカウントを続行した後、図４ＣのＳ３１に進む。そして、いずれか一方の切替弁が停止するまで、Ｓ７、Ｓ８、Ｓ３１及びＳ３２の各ステップが繰り返されることになる。
【０１１４】
次に、待機状態から放熱器循環側への切替指示が出された場合において、起動タイミング時間ｔBKが負である場合について説明する。まず、前述した手順に従い、Ｓ１からＳ６において、浴槽循環側から放熱器循環側へ切り替える際の起動タイミング時間ｔBKが計算された後、Ｓ７に進み、さらに、Ｓ９及びＳ１０を経て、Ｓ１４に至る。
【０１１５】
Ｓ１４では、起動タイミング時間ｔBKが正又は０でないと判断されるので（Ｓ１４：ＮＯ）、Ｓ１６に進む。そして、図３（ｃ）又は（ｄ）に示すように、この場合には、第１切替弁８６を先に起動させる必要があるので、Ｓ１６において、第１切替弁８６を先にＫ方向に起動させる。次いで、Ｓ１７において、タイマーをスタートさせ、第１切替弁８６の動作時間 ｔWV1のカウントを開始した後、図４ＣのＳ３１に進む。
【０１１６】
Ｓ３１では、第２切替弁８８が停止中であると判断されるので（Ｓ３１：ＹＥＳ）、Ｓ３１からＳ３３及びＳ４３を経て、Ｓ４８に至る。Ｓ４８では、再度、起動タイミング時間ｔBKが正又は０でないと判断されるので（Ｓ４８：ＮＯ）、Ｓ４９に進む。
【０１１７】
Ｓ４９では、Ｓ１７において計測を開始した第１切替弁８６の動作時間 ｔWV1が起動タイミング時間ｔBKの絶対値以上か否かが判断される。第１切替弁８６を起動した直後は、動作時間ｔWV1は、当然、起動タイミング時間 ｔBKの絶対値未満であるので（Ｓ４９：ＮＯ）、図４ＡのＳ７に戻る。次いで、Ｓ７において、第１切替弁８６が停止中ではないと判断されるので（Ｓ７：ＮＯ）、Ｓ８に進み、そこで、第１切替弁８６の動作時間 ｔWV1のカウントが続行された後、再び、図４ＣのＳ３１に進む。
【０１１８】
そして、第１切替弁８６が起動してから起動タイミング時間ｔBKの絶対値に相当する時間が経過するまで、前述のステップが繰り返される。なお、Ｓ２において、起動タイミング時間ｔBKの絶対値が突入電流低減余裕時間 Ｔ2未満であると判断された場合（Ｓ２：ＮＯ）には、第１切替弁８６が起動してから突入電流低減余裕時間 Ｔ2が経過するまで、前述のステップが繰り返される点は、ｔBKが正又は０の場合と同様である。
【０１１９】
一方、第１切替弁８６が起動してから起動タイミング時間ｔBKの絶対値に相当する時間又は突入電流低減余裕時間 Ｔ2が経過した時には、Ｓ４９において、第１切替弁８６の動作時間 ｔWV1が「起動タイミング時間ｔBKの絶対値」以上と判断されるので（Ｓ４９：ＹＥＳ）、Ｓ５０に進み、そこで、第２切替弁８８が起動される。さらに、Ｓ５１において第２切替弁８８の動作時間 ｔWV2の計測が開始された後、図４ＡのＳ７に戻る。そして、いずれか一方の切替弁が停止するまで、Ｓ７、Ｓ８、Ｓ３１及びＳ３２の各ステップが繰り返される。
【０１２０】
双方の切替弁が起動した後、いずれか一方の切替弁、例えば、第１切替弁８６が先に停止した場合（Ｓ７：ＹＥＳ）には、Ｓ７からＳ９に進む。Ｓ９では、要求位置が浴槽循環側（Ｂ）か否かが判断されるが、ここでは、要求位置は、放熱器循環側（Ｋ）であるので（Ｓ９：ＮＯ）、Ｓ１０に進み、そこで、第１切替弁８６がＫ位置に達したか否かが判断される。この場合、第１切替弁８６は、Ｋ位置に来ているので（Ｓ１０：ＹＥＳ）、次にＳ１１に進む。
【０１２１】
Ｓ１１では、第１切替弁８６の動作時間 ｔWV1がカウント中か否かが判断される。この段階では、動作時間 ｔWV1は未だカウント中であるので（Ｓ１１：ＹＥＳ）、Ｓ１２に進み、そこで、浴槽循環側から放熱器循環側へ切り替える際の第１切替弁８６の動作時間 ＴWV1BKとして、カウントされた第１切替弁８６の動作時間ｔWV1を記憶させる。記憶された今回の動作時間ＴWV1BKを用いて、次回の切替動作の際の起動タイミング時間を計算するためである。
【０１２２】
次いで、Ｓ１３に進み、そこで、タイマーを停止させると共に、第１切替弁８６の動作時間 ｔWV1を「０」にリセットした後、図４ＣのＳ３１に進む。また、Ｓ３１では、第２切替弁８８が停止したか否かが判断され、停止していない場合（Ｓ３１：ＮＯ）は、Ｓ３２に進み、前述のステップが繰り返される。一方、停止したと判断された場合（３１：ＹＥＳ）には、Ｓ３１からＳ３３に進む。
【０１２３】
そして、第１切替弁８６の場合と同様、Ｓ３３からＳ４３に進み、そこで、第２切替弁８８がＫ位置に達したと判断されるので（Ｓ４３：ＹＥＳ）、次に、Ｓ４４に進む。Ｓ４４では、第２切替弁８８の動作時間 ｔWV2がカウント中であるか否かが判断される。この段階では、未だ動作時間 ｔWV2は、カウント中であるので（Ｓ４４：ＹＥＳ）、Ｓ４５に進む。
【０１２４】
そこで、浴槽循環側から放熱器循環側へ切り替える際の第２切替弁８８の動作時間ＴWV2BKとして、カウントされた第２切替弁８８の動作時間ｔWV2を記憶させる。次いで、Ｓ４６において、タイマーを停止させると共に、第２切替弁８８の動作時間 ｔWV2を「０」にリセットした後、Ｓ４７に進む。なお、記憶された動作時間 ＴWV2BKを用いて、次回の起動タイミング時間ｔBKを計算する点は、第１切替弁８６の動作時間 ＴWV1BKと同様である。
【０１２５】
Ｓ４７では、再度、第１切替弁８６がＫ位置にあると判断されるので（Ｓ４７：ＹＥＳ）、図４ＡのＳ１に戻る。これにより、第１切替弁８６及び第２切替弁８８の放熱器循環側への切替動作が終了する。なお、第２切替弁８８の方が動作時間が短く、先に停止する場合も、手順が前後する以外は、上述した第１切替弁８６が先に停止する場合と同様である。この後、放熱器循環系による浴室乾燥運転が実行に移されることになる。
【０１２６】
次に、放熱器循環系による乾燥運転中における切替弁の制御について説明する。この場合は、待機状態における切替弁の制御フローとほぼ同様である。すなわち、上述と同様にして、Ｓ１からＳ７に至り、そこで、第１切替弁８６が停止中と判断されるので（Ｓ７：ＹＥＳ）、Ｓ９に進む。
【０１２７】
この場合は、要求位置は放熱器循環側（Ｋ）であるので（Ｓ９：ＮＯ）、Ｓ９からＳ１０に進み、また、Ｓ１０では、第１切替弁８６がＫ位置にあると判断されるので（Ｓ１０：ＹＥＳ）、Ｓ１１に進む。Ｓ１１では、第１切替弁８６の動作時間 ｔWV1がカウント中であるか否かが判断されるが、乾燥運転中は、切替弁は停止しており、第１切替弁８６の動作時間 ｔWV1は、カウントされていないので（Ｓ１１：ＮＯ）、そのまま、図４ＣのＳ３１に進む。
【０１２８】
Ｓ３１でも同様に、第２切替弁８８は停止中と判断されるので（Ｓ３１：ＹＥＳ）、Ｓ３１からＳ３３、Ｓ４３と進み、Ｓ４４に至る。この場合も、第２切替弁８８の動作時間 ｔWV2は、カウントされていないので（Ｓ４４：ＮＯ）、Ｓ４４からＳ４７に進む。Ｓ４７では、再度、第１切替弁８６がＫ位置にあると判断されるので（Ｓ４７：ＹＥＳ）、図４ＡのＳ１に戻る。そして、浴槽循環側への切替指示が出されるまで、上述のステップが繰り返されるものである。
【０１２９】
次に、使用者がリモコンに備えられた乾燥スイッチを再度押す等の操作を行うことにより、放熱器循環側にある切替弁に対し、バーナコントローラから浴槽環側への循環経路の切替指示が出された場合における切替弁の切替制御について説明する。初めに、起動タイミング時間ｔKBが正又は０である場合について説明する。前述した手順に従い、Ｓ１からＳ６において、浴槽循環側から放熱器循環側へ切り替える際の起動タイミング時間ｔKBが計算された後、Ｓ７に進む。
【０１３０】
浴槽循環側への切替指示を出した直後は、当然、第１切替弁８６は停止しており、かつＫ位置にあるので、Ｓ７からＳ９、Ｓ１８を経てＳ２２に進む。Ｓ２２では、Ｓ４で計算した起動タイミング時間ｔKBが正又は０か否かが判断される。ここでは、正又は０である場合を考えており（Ｓ２２：ＹＥＳ）、この場合は、前述したように、第１切替弁８６を先に起動させる必要があるので、Ｓ２４に進み、そこで、第１切替弁８６を浴槽循環側方向（以下、「Ｂ方向」という）に起動させると共に、Ｓ２５において、第１切替弁８６の動作時間 ｔWV1のカウントを開始した後、図４ＣのＳ３１に進む。
【０１３１】
この段階では、第１切替弁８６は起動したが、第２切替弁８８は未だ停止中であり、かつ、Ｋ位置にあるので、Ｓ３１からＳ３３、Ｓ３４を経てＳ３９に進む。Ｓ３９では、再度、Ｓ４で求めた起動タイミング時間ｔKBが正又は０であるか否かが判断される。この場合、正又は０であると判断されるので（Ｓ３９：ＹＥＳ）、Ｓ４０に進む。
【０１３２】
Ｓ４０では、第１切替弁８６の動作時間 ｔWV1がＳ４で求めた起動タイミング時間ｔKBの絶対値以上か否かが判断される。切替指示が出された直後は、当然、動作時間 ｔWV1は、起動タイミング時間ｔKBの絶対値未満である（Ｓ４０：ＮＯ）ので、図４ＡのＳ７に戻る。Ｓ７では、第１切替弁８６が停止中ではないと判断されるので（Ｓ７：ＮＯ）、次に、Ｓ８に進み、そこで、第１切替弁８６の動作時間 ｔWV1のカウントが続行される。次いで、図４ＣのＳ３１に戻り、前述と同様、Ｓ３１から、Ｓ３３、Ｓ３４及びＳ３９を経てＳ４０に至る。そして、第２切替弁８８が起動してから起動タイミング時間ｔKBが経過するまで、前述のステップが繰り返される。
【０１３３】
なお、Ｓ５において、起動タイミング時間ｔKBの絶対値が突入電流低減余裕時間 Ｔ2未満であると判断された場合（Ｓ５：ＮＯ）には、Ｓ６において、起動タイミング時間ｔKBの絶対値として突入電流低減余裕時間 Ｔ2が記憶されているので、その場合には、第１切替弁８６を起動してから突入電流低減余裕時間 Ｔ2が経過するまで、前述のステップが繰り返されることになる。
【０１３４】
一方、第１切替弁８６が起動してから起動タイミング時間ｔKB又は突入電流低減余裕時間 Ｔ2が経過した時には、Ｓ４０において、第１切替弁８６の動作時間ｔWV1が「起動タイミング時間 ｔKBの絶対値」以上と判断されるので（Ｓ４０：ＹＥＳ）、Ｓ４１に進み、そこで、第２切替弁８８が起動される。さらに、Ｓ４２において第２切替弁８８の動作時間 ｔWV2の計測が開始された後、図４ＡのＳ７に戻る。
【０１３５】
この時点では、双方の切替弁が稼働中であるので（Ｓ７：ＮＯ）、Ｓ８に進み、そこで、第１切替弁８６の動作時間 ｔWV1のカウントを続行し、図４ＣのＳ３１に進む。また、Ｓ３１においても、第２切替弁８８は停止中ではないと判断されるので（Ｓ３１：ＮＯ）、Ｓ３２に進み、第２切替弁８８の動作時間 ｔWV2のカウントを続行した後、図４ＡのＳ７に戻る。そして、いずれか一方の切替弁が停止するまで、Ｓ７、Ｓ８、Ｓ３１及びＳ３２の各ステップが繰り返される。
【０１３６】
次に、放熱器循環側から浴槽循環側への切替指示が出された場合において、起動タイミング時間ｔKBが負である場合について説明する。まず、前述した手順に従い、Ｓ１からＳ６において、放熱器循環側から浴槽循環側へ切り替える際の起動タイミング時間ｔKBが計算された後、Ｓ７に進み、さらに、Ｓ９及びＳ１８を経て、Ｓ２２に至る。
【０１３７】
Ｓ２２では、起動タイミング時間ｔKBが正又は０でないと判断されるので（Ｓ２２：ＮＯ）、Ｓ２３に進む。Ｓ２３では、第２切替弁８８の動作時間 ｔWV2が起動タイミング時間ｔKBの絶対値以上であるか否かが判断される。ここでは、浴槽循環系への切替指示が出されたが、未だ第２切替弁８８は起動していない状態にあり、当然、動作時間ｔWV2は、起動タイミング時間 ｔKBの絶対値未満であるので（Ｓ２３：ＮＯ）、図４ＣのＳ３１に進む。
【０１３８】
この段階では、未だ第２切替弁８８は起動されていない状態であるので（Ｓ３１：ＹＥＳ）、Ｓ３１からＳ３３及びＳ３４を経て、Ｓ３９に至る。Ｓ３９では、再度、起動タイミング時間ｔKBが正又は０でないと判断される（Ｓ３９：ＮＯ）が、この場合には、前述したように、第２切替弁８８を先に起動させる必要があるので、Ｓ４１に進み、そこで、第２切替弁８８をＢ方向に起動させると共に、Ｓ４２において、第２切替弁８８の動作時間 ｔWV2のカウントを開始した後、図４ＡのＳ７に戻る。
【０１３９】
次いで、前述と同様に、Ｓ７からＳ９、Ｓ１８及びＳ２２を経て、Ｓ２３に至り、そこで再び、第２切替弁８８の動作時間ｔWV2が、起動タイミング時間 ｔKBの絶対値以上か否かが判断され、動作時間ｔWV2が起動タイミング時間 ｔKBの絶対値未満と判断された場合には（Ｓ２３：ＮＯ）、図４ＣのＳ３１に進み、第２切替弁８８の起動から起動タイミング時間ｔKBの絶対値に相当する時間が経過するまで、前述のステップが繰り返される。
【０１４０】
なお、Ｓ５において、起動タイミング時間ｔKBの絶対値が突入電流低減余裕時間 Ｔ2未満であると判断された場合（Ｓ５：ＮＯ）には、第２切替弁８８が起動してから突入電流低減余裕時間 Ｔ2が経過するまで、前述のステップが繰り返される点は、起動タイミング時間ｔKBが正又は０の場合と同様である。
【０１４１】
一方、第２切替弁８８が起動してから起動タイミング時間ｔKBの絶対値に相当する時間又は突入電流低減余裕時間 Ｔ2が経過した時には、Ｓ２３において、第２切替弁８８の動作時間 ｔWV2が「起動タイミング時間ｔKBの絶対値」以上と判断されるので（Ｓ２３：ＹＥＳ）、Ｓ２４に進み、そこで、第１切替弁８６が起動される。さらに、Ｓ２５において第１切替弁８６の動作時間 ｔWV1の計測が開始された後、図４ＣのＳ３１に戻る。
【０１４２】
そして、起動タイミング時間ｔKBが正又は０の場合と同様、いずれか一方の切替弁がＢ位置に達するまで、Ｓ７、Ｓ８、Ｓ３１及びＳ３２の各ステップが繰り返され、いずれか一方の切替弁がＢ位置に達したところで、前述した浴槽循環側から放熱器循環側に切り替える場合と同様の手順に従い、切替弁の停止操作が実行される。そして、双方の切替弁が浴槽循環側に切り替えられたところで、浴槽循環側への切替動作は終了し、切替弁は、その位置で待機するものである。
【０１４３】
以上のように、本発明に係る給湯器によれば、第１切替弁及び第２切替弁の双方が同時刻にいずれの循環系とも連通していない閉状態となるような起動タイミング時間を計算し、計算された起動タイミング時間の符号に応じて、切替弁の起動時刻を前後させるようにしたので、切替弁の作動時間が異なる場合であっても、異なる循環系の連通を防止することが可能となる。
【０１４４】
また、計算された起動タイミング時間の絶対値を判断し、その絶対値がある値以下である場合には、一方の起動を強制的に遅らせるようにしたので、双方の切替弁が同時刻に起動されることはなく、突入電流の増加を防止することが可能となる。
【０１４５】
なお、上述したフローチャートにおいて、起動タイミング算出手段は、Ｓ１、Ｓ４、Ｓ１２、Ｓ２０、Ｓ３６、及びＳ４５の各ステップに該当し、符号判断手段は、Ｓ１４、Ｓ２２、Ｓ３９及びＳ４８の各ステップに該当し、絶対値判断手段は、Ｓ２及びＳ５の各ステップに該当し、切替動作手段は、Ｓ３、Ｓ６、Ｓ１５、Ｓ１６、Ｓ２３、Ｓ２４、Ｓ４０、Ｓ４１、Ｓ４９、及びＳ５０の各ステップに該当し、また、計測手段は、Ｓ１３、Ｓ１７、Ｓ２１、Ｓ２５、Ｓ３７、Ｓ４２、Ｓ４６及びＳ５１の各ステップに該当する。
【０１４６】
以上、本発明の実施の形態について詳細に説明したが、本発明は、上記実施の形態に何ら限定されるものではなく、本発明の要旨を逸脱しない範囲で種々の改変が可能である。例えば、上記実施の形態では、浴室乾燥運転用の放熱器循環系を備えた給湯器の場合について説明したが、その他に暖房用の放熱器循環系を備えた給湯器、あるいは浴室乾燥運転用の放熱器循環系及び暖房用の放熱器循環系の双方を備えた給湯器であっても良い。さらにまた、一般給湯系を有しない風呂システムに適用しても良く、これにより上記実施の形態と同様の効果が得られることは勿論である。
【０１４７】
【発明の効果】
本発明の給湯器は、浴槽の湯水を加熱循環する浴槽循環系と、この浴槽循環系より分岐して設けられ、浴槽循環系で加熱された湯を放熱器にて放熱させる放熱器循環系との循環経路の切替をタイミング良く行うようにしたものであるから、切替動作の途中における２つの循環系の連通が回避され、膨張タンクからの水抜けや溢れを防止することができ、安全運転が達成される。
【０１４８】
また、第１切替弁及び第２切替弁の起動タイミングをずらして順次起動させるようにしたので、一方の切替弁を切り替えた後に他方の切替弁を切り替える方法や、中心位置で一旦止め、双方の切替弁が閉となる時間を作った後に再度起動する方法と異なり、余分な動作時間は不要であり、速やかに運転操作が行えるという便利さもあり、しかも起動頻度が増加することもないので、耐久性が低下することもない。
【０１４９】
また、双方の切替弁の切替時刻が接近する場合には、一方の切替弁が起動した後、２つの循環系が連通しない範囲で強制的に他方の切替弁の起動を遅らせるようにしたので、双方の切替弁が同時刻に起動されることもなく、突入電流の増加を回避することが可能となる。
【０１５０】
また、本発明の給湯器は、性能の良い高価な切替弁を用いなくても、切替のタイミングを制御することにより、２つの循環系の連通を防止するものであるから、切替弁として安価な３方向ボールバルブを用いることができ、給湯器の低コスト化が図れるという効果もある。
【０１５１】
さらに、切替弁の切替動作を行う毎に各切替弁の切替動作を計測し、その値を用いて起動タイミング時間を計算するようにしたので、切替弁のバラツキや経時変化に起因する動作時間のずれを補正でき、長期間に亘って、適切な切替制御が可能となるという効果がある。
【０１５２】
以上のように、本発明によれば、切替弁の動作時間にバラツキ等がある場合のみならず、切替弁の動作角が異なるような、構造的に明らかに切替時間が異なる切替弁を組み合わせた場合であっても、膨張タンクからの水抜けや溢れを生じさせることなく、適切な切替動作を可能とし、給湯器の使用感を格段に向上させるものであり、産業上、その効果の極めて大きい発明である。
【図面の簡単な説明】
【図１】本発明が適用される給湯器の概略構成図である。
【図２】本発明が適用される給湯器の切替弁として用いられる３方向ボールバルブの動作を説明するための図である。
【図３】本発明に係る給湯器で実施される切替弁の起動タイミングを説明するための図である。
【図４Ａ】本発明に係る切替弁の制御を実行するための制御フローチャートである。
【図４Ｂ】図４Ａに示す制御フローチャートの続きである。
【図４Ｃ】同じく、図４Ａに示す制御フローチャートの続きである。
【図５】従来の給湯器で実施されている、切替弁の切替動作を示す図である。
【図６】動作時間の異なる切替弁を用いた場合における、切替弁の切替動作を示す図である。
【図７】同じく、動作時間の異なる切替弁を用いた場合における、切替弁の切替動作を示す図である。
【符号の説明】
１  給湯器
３  浴槽循環系
５  放熱器循環系
４０  往き管
４２  戻り管
４４  第２熱交換器
４６  浴槽
８０  膨張タンク
８２  放熱器入水管
８４  放熱器出水管
８６  第１切替弁
８８  第２切替弁
９６  放熱器
【図１】
0003801339.tif 000004
【図２】
0003801339.tif 000005
【図３】
0003801339.tif 000006
【図４Ａ】
0003801339.tif 000007
【図４Ｂ】
0003801339.tif 000008
【図４Ｃ】
0003801339.tif 000009
【図５】
0003801339.tif 000010
【図６】
0003801339.tif 000011
【図７】
0003801339.tif 000012